(57)【要約】【課題】移動通信における通信ログの解析を効率的に行うための技術を提供する。【解決手段】移動通信で送受信される信号の通信ログを表示するログ表示装置において、前記通信ログを格納するログ記憶手段と、前記ログ記憶手段から１つの通信ログを読み出し、当該通信ログが特定のレイヤの信号の通信ログであるか否かを判定するレイヤ判定手段と、前記通信ログが特定のレイヤの信号の通信ログであると判定された場合に、当該通信ログを表示する処理を行い、特定のレイヤの信号の通信ログでないと判定された場合に、当該通信ログを表示する処理を行わない表示制御処理を実行する表示制御手段と、を備え、前記表示制御手段は、前記ログ記憶手段に格納された各通信ログに対してレイヤ判定及び表示制御処理を行った後に、前記特定のレイヤの信号以外の信号の通信ログを判別し、当該通信ログを表示する処理を行うように構成する。【選択図】図４
2012048684.tif 000002
【特許請求の範囲】
【請求項１】
移動通信における端末側の通信装置とネットワークとの間で送受信される信号の通信ログを表示するログ表示装置であって、
前記通信ログを格納するログ記憶手段と、
前記ログ記憶手段から１つの通信ログを読み出し、当該通信ログが特定のレイヤの信号の通信ログであるか否かを判定するレイヤ判定手段と、
前記レイヤ判定手段により、前記通信ログが特定のレイヤの信号の通信ログであると判定された場合に、当該通信ログを表示する処理を行い、前記通信ログが特定のレイヤの信号の通信ログでないと判定された場合に、当該通信ログを表示する処理を行わない表示制御処理を実行する表示制御手段と、を備え、
前記表示制御手段は、前記ログ記憶手段に格納された各通信ログに対して前記レイヤ判定手段による判定及び前記表示制御処理を行った後に、前記レイヤ判定手段により、前記特定のレイヤの信号以外の信号の通信ログを判別し、当該通信ログを表示する処理を行う
ことを特徴とするログ表示装置。
【請求項２】
前記ログ記憶手段に格納される複数の通信ログのうち、前記特定のレイヤの信号の通信ログに、当該特定のレイヤであることを識別するためのフラグが付されており、前記レイヤ判定手段は、当該フラグに基づいて、通信ログが特定のレイヤの信号の通信ログであるか否かを判定する
ことを特徴とする請求項１に記載のログ表示装置。
【請求項３】
前記特定のレイヤはレイヤ３であることを特徴とする請求項１又は２に記載のログ表示装置。
【請求項４】
移動通信における端末側の通信装置とネットワークとの間で送受信される信号の通信ログを収集するログ収集装置であって、
前記信号を通信ログとして格納するためのログ記憶手段と、
前記信号を受信する信号受信手段と、
前記受信した信号のレイヤが特定のレイヤであるか否かを判定するレイヤ判定手段と、
前記レイヤ判定手段により、前記信号のレイヤが特定のレイヤであると判定された場合に、当該信号に当該特定のレイヤを示すフラグを付して前記ログ記憶手段に格納し、前記信号のレイヤが特定のレイヤでないと判定された場合に、当該信号を前記特定のレイヤを示すフラグを付さずに前記ログ記憶手段に格納するログ格納処理手段と
を備えることを特徴とするログ収集装置。
【請求項５】
移動通信における端末側の通信装置とネットワークとの間で送受信される信号の通信ログを収集するログ収集装置であって、
前記信号を通信ログとして格納するためのログ記憶手段と、
前記信号を受信する信号受信手段と、
前記受信した信号のレイヤが特定のレイヤであるか否かを判定するレイヤ判定手段と、
前記レイヤ判定手段により、前記信号のレイヤが特定のレイヤであると判定された場合に、当該信号を、前記ログ記憶手段に既に格納されている当該特定のレイヤの信号の直後の場所に挿入し、前記信号のレイヤが特定のレイヤでないと判定された場合に、当該信号を、既に格納されている信号の最後に追加するログ格納処理手段と
を備えたことを特徴とするログ収集装置。
【請求項６】
前記特定のレイヤはレイヤ３であることを特徴とする請求項４又は５に記載のログ収集装置。
【請求項７】
移動通信における端末側の通信装置とネットワークとの間で送受信される信号の通信ログを表示するログ表示装置が実行するログ表示方法であって、
前記ログ表示装置は、前記通信ログを格納するログ記憶手段を備えており、
前記ログ記憶手段から１つの通信ログを読み出し、当該通信ログが特定のレイヤの信号の通信ログであるか否かを判定するレイヤ判定ステップと、
前記レイヤ判定ステップにより、前記通信ログが特定のレイヤの信号の通信ログであると判定された場合に、当該通信ログを表示する処理を行い、前記通信ログが特定のレイヤの信号の通信ログでないと判定された場合に、当該通信ログを表示する処理を行わない表示制御処理を実行する表示制御ステップと、を備え、
前記ログ表示装置は、前記ログ記憶手段に格納された各通信ログに対して前記レイヤ判定ステップによる判定及び前記表示制御処理を行った後に、前記特定のレイヤの信号以外の信号の通信ログを判別し、当該通信ログを表示する処理を行う
ことを特徴とするログ表示方法。
【請求項８】
移動通信における端末側の通信装置とネットワークとの間で送受信される信号の通信ログを収集するログ収集装置が実行するログ収集方法であって、
前記ログ収集装置は、前記信号を通信ログとして格納するためのログ記憶手段を備えており、
前記信号を受信する信号受信ステップと、
前記受信した信号のレイヤが特定のレイヤであるか否かを判定するレイヤ判定ステップと、  
前記レイヤ判定ステップにより、前記信号のレイヤが特定のレイヤであると判定された場合に、当該信号に当該特定のレイヤを示すフラグを付して前記ログ記憶手段に格納し、前記信号のレイヤが特定のレイヤでないと判定された場合に、当該信号を前記特定のレイヤを示すフラグを付さずに前記ログ記憶手段に格納するログ格納処理ステップと、
前記信号受信ステップ、前記レイヤ判定ステップ、及びログ格納処理ステップを繰り返す制御ステップと
を備えることを特徴とするログ収集方法。
【請求項９】
移動通信における端末側の通信装置とネットワークとの間で送受信される信号の通信ログを収集するログ収集装置が実行するログ収集方法であって、
前記ログ収集装置は、前記信号を通信ログとして格納するためのログ記憶手段を備えており、
前記信号を受信する信号受信ステップと、
前記受信した信号のレイヤが特定のレイヤであるか否かを判定するレイヤ判定ステップと、  
前記レイヤ判定ステップにより、前記信号のレイヤが特定のレイヤであると判定された場合に、当該信号を、前記ログ記憶手段に既に格納されている当該特定のレイヤの信号の直後の場所に挿入し、前記信号のレイヤが特定のレイヤでないと判定された場合に、当該信号を、既に格納されている信号の最後に追加するログ格納処理ステップと、
前記信号受信ステップ、前記レイヤ判定ステップ、及びログ格納処理ステップを繰り返す制御ステップと
を備えることを特徴とするログ収集方法。
【発明の詳細な説明】
【技術分野】
【０００１】
本発明は、移動通信における通信ログの解析処理に係るものであり、特に、通信信号の中の特定のレイヤの信号を優先的に処理することで、通信ログ解析時間を短縮させるための技術に関するものである。
【背景技術】
【０００２】
図１に、移動端末（ＵＥ）と移動通信ネットワーク間の通信に関する試験環境の一例を示す。図１に示すように、この試験環境では、移動端末（ＵＥ）１が、ログ収集装置２に接続される。移動端末１は、通信事業者のネットワーク３との間で、通信信号を無線で送受信する。送受信する信号は、通信ログとして移動端末１からログ収集装置２に送られ、ログ収集装置２に格納される。そして、ログ収集装置２により収集された通信ログは、ログ表示装置４で表示される。解析者は、ログ表示装置４に表示された通信ログを見て、通信の正常性判定等の解析を行う。
【０００３】
ただし、実際に無線区間で送受信される信号の中身は原文ではなく、所定の規則に基づいてエンコードされたデータであり、一般に、ログ収集装置２で収集、格納される通信ログは、エンコードされた状態のものである。例えば、無線区間で送受信される信号の中に、通信種別として「ＴＶ電話」を示すデータを含める場合に、「ＴＶ電話」という文字ではなく、これに対応付けられたコード（例えば、"０１"等）を含める。
【０００４】
ログ表示装置４は、このようなコードとその意味を示す情報とを対応付けた通信プロトコルデータベースを備えており、通信ログを表示する際には、通信プロトコルデータベースを参照して、エンコードされたログを、解析者が解釈可能な情報にデコードして表示する。
【０００５】
なお、図１では、移動端末１側から収集された通信信号を通信ログとして収集、解析する例を示しているが、ネットワーク３側で通信信号を収集、解析する場合も基本的に同様の構成をとる。すなわち、この場合、例えばネットワーク３側の通信装置にログ収集装置２が接続され、ネットワーク３側の通信装置から通信ログを収集し、表示・解析を行う。
【先行技術文献】
【特許文献】
【０００６】
【特許文献１】特表２００８−５２２４８５号公報
【発明の概要】
【発明が解決しようとする課題】
【０００７】
図２に、ログ収集装置２により収集される通信ログのイメージを示す。図２に示すように、一般に、移動通信においては、通信ログとして、主にレイヤ１〜レイヤ３、及び上位レイヤの信号が収集される。
【０００８】
図３に、各レイヤに該当する信号種別の具体例を示す。図３に示すように、上位レイヤの信号は、ユーザデータ、上位プロトコル（TCP等）の制御データ、等である。レイヤ３の信号は、無線リソース管理、移動管理、呼制御等のための信号であり、より具体的には、例えば、呼び出し、無線コネクション設定・維持・解放等のための信号や、QoS制御、アウターループ電力制御、等のための信号である。
【０００９】
レイヤ２の信号は、無線リンク制御、メディアアクセス制御のための信号であり、具体的には、例えば、優先制御、フロー制御、データ量監視や、分割、再送、組立、重複確認、等のための信号である。レイヤ１の信号は、物理層の信号であり、例えば、拡散変調/復調、送信電力制御や、誤り訂正及び検出のための信号である。
【００１０】
上記各レイヤのうち、レイヤ３の信号が、無線通信プロトコルの最上位レイヤの信号であり、ＵＥ-ＮＷ間でやり取りする制御情報となる。解析者は、レイヤ３の信号を解析することにより、試験概要把握や試験OK／NG判定を行うことができる。従って、解析者は、各種レイヤの信号を含む通信ログの中でまずレイヤ３の信号の通信ログを確認し、これがNGである場合に、レイヤ２及びレイヤ１を合わせて確認することにより、何が不具合であったかの解析を行っている。
【００１１】
従来技術では、ログ収集装置２で収集された通信ログに基づいて、ログ表示装置４が通信ログを表示する際に、ログ表示装置４は、通信ログの先頭から順番に１つずつ通信ログのデコードを行い、順に表示を行う。しかしながら、一般に通信ログのファイルサイズは非常に大きくなることがあり（例えば、数十〜数百メガバイト）、ログ表示装置４で通信ログを表示する際に、全てのログ表示が完了するまでに相当な時間がかかる（例えば、ログのファイルサイズが大きい場合、数分〜数十分かかる場合がある）。解析者は、通信ログの概要把握やOK/NGを判定するために、全てのログの表示を待つ必要があり、非効率であるという問題がある。
【００１２】
本発明は上記の点に鑑みてなされたものであり、移動通信における通信ログの解析を効率的に行うための技術を提供することを目的とする。
【課題を解決するための手段】
【００１３】
上記の課題を解決するために、本発明は、移動通信における端末側の通信装置とネットワークとの間で送受信される信号の通信ログを表示するログ表示装置であって、前記通信ログを格納するログ記憶手段と、前記ログ記憶手段から１つの通信ログを読み出し、当該通信ログが特定のレイヤの信号の通信ログであるか否かを判定するレイヤ判定手段と、前記レイヤ判定手段により、前記通信ログが特定のレイヤの信号の通信ログであると判定された場合に、当該通信ログを表示する処理を行い、前記通信ログが特定のレイヤの信号の通信ログでないと判定された場合に、当該通信ログを表示する処理を行わない表示制御処理を実行する表示制御手段と、を備え、前記表示制御手段は、前記ログ記憶手段に格納された各通信ログに対して前記レイヤ判定手段による判定及び前記表示制御処理を行った後に、前記レイヤ判定手段により、前記特定のレイヤの信号以外の信号の通信ログを判別し、当該通信ログを表示する処理を行うことを特徴とするログ表示装置として構成される。
【００１４】
前記ログ表示装置において、前記ログ記憶手段に格納される複数の通信ログのうち、前記特定のレイヤの信号の通信ログに、当該特定のレイヤであることを識別するためのフラグが付されており、前記レイヤ判定手段は、当該フラグに基づいて、通信ログが特定のレイヤの信号の通信ログであるか否かを判定することとしてもよい。
【００１５】
また、本発明は、移動通信における端末側の通信装置とネットワークとの間で送受信される信号の通信ログを収集するログ収集装置であって、前記信号を通信ログとして格納するためのログ記憶手段と、前記信号を受信する信号受信手段と、前記受信した信号のレイヤが特定のレイヤであるか否かを判定するレイヤ判定手段と、前記レイヤ判定手段により、前記信号のレイヤが特定のレイヤであると判定された場合に、当該信号に当該特定のレイヤを示すフラグを付して前記ログ記憶手段に格納し、前記信号のレイヤが特定のレイヤでないと判定された場合に、当該信号を前記特定のレイヤを示すフラグを付さずに前記ログ記憶手段に格納するログ格納処理手段とを備えることを特徴とするログ収集装置として構成してもよい。
【００１６】
また、本発明は、移動通信における端末側の通信装置とネットワークとの間で送受信される信号の通信ログを収集するログ収集装置であって、前記信号を通信ログとして格納するためのログ記憶手段と、前記信号を受信する信号受信手段と、前記受信した信号のレイヤが特定のレイヤであるか否かを判定するレイヤ判定手段と、前記レイヤ判定手段により、前記信号のレイヤが特定のレイヤであると判定された場合に、当該信号を、前記ログ記憶手段に既に格納されている当該特定のレイヤの信号の直後の場所に挿入し、前記信号のレイヤが特定のレイヤでないと判定された場合に、当該信号を、既に格納されている信号の最後に追加するログ格納処理手段とを備えたことを特徴とするログ収集装置として構成することもできる。
【００１７】
また、本発明は、上記ログ表示装置が実行する処理の方法として構成することもでき、更に、上記ログ収集装置が実行する処理の方法として構成することもできる。
【発明の効果】
【００１８】
本発明によれば、特定のレイヤの信号の通信ログを優先的に表示させることが可能となり、当該特定のレイヤの信号表示により実施できる解析を短時間で行うことが可能になる。よって、移動通信における通信ログの解析を効率的に行うことが可能となる。
【図面の簡単な説明】
【００１９】
【図１】ＵＥ−ＮＷ間の通信に関する試験環境の一例を示す図である。
【図２】従来のログ収集装置１により収集される通信ログのイメージを示す図である。
【図３】各レイヤに該当する信号種別の具体例を示す図である。
【図４】本発明の実施の形態におけるログ解析システムの構成例を示す図である。
【図５】ログ収集装置１０の動作を説明するためのフローチャートである。
【図６】ログ記憶部１４に格納される通信ログの一例を示す図である。
【図７】ログ表示装置２０の動作を説明するためのフローチャートである。
【図８】ログ表示装置２０の処理により表示部２６の画面に表示される通信ログのイメージを示す図である。
【図９】変形例に係るログ収集装置１０の動作を説明するためのフローチャートである。
【図１０】変形例においてログ記憶部１４に格納される通信ログの一例を示す図である。
【図１１】変形例におけるログ表示装置２０の動作を説明するためのフローチャートである。
【図１２】変形例において表示される通信ログのイメージを示す図である。
【図１３】本実施の形態に係る技術の効果を説明するための図である。
【発明を実施するための形態】
【００２０】
以下、図面を参照して本発明の実施の形態を説明する。
【００２１】
(システム構成）
図４に、本発明の実施の形態におけるログ解析システムの構成例を示す。図４に示すように、本実施の形態におけるログ解析システムは、ログ収集装置１０と、ログ表示装置２０とを有する。
【００２２】
ログ収集装置１０は、移動通信ネットワークとの間で通信を行っている端末側の通信装置、もしくは、端末側の通信装置と通信を行っている移動通信ネットワーク側の通信装置から通信信号を受信し、通信ログとして格納する装置である。図４に示すように、ログ収集装置１０は、信号受信部１１、レイヤ判定部１２、ログ格納処理部１３、ログ記憶部１４、出力部１５、及びログ収集制御部１６を有する。
【００２３】
上記各機能部のうち、信号受信部１１は、上記通信装置から通信信号を受信する機能部である。レイヤ判定部１２は、信号受信部１１により受信した通信信号のレイヤを判定する機能部である。ログ格納処理部１３は、レイヤ判定部１１による判定結果に基づく方法で通信ログをログ記憶部１５に格納する機能部である。出力部１５は、ログ記憶部１４に格納された通信ログを読み出して、出力する機能部である。また、ログ収集制御部１６は、ログ収集装置１０の処理を制御する機能部であり、後述するフローチャートに示す処理手順は、ログ収集制御部１６による制御に基づき実行される。
【００２４】
ログ表示装置２０は、ログ収集装置１０により収集された通信ログを取り込み、デコードし、表示する装置である。図４に示すように、ログ表示装置２０は、ログ記憶部２１、ログ読み込み部２２、レイヤ判定部２３、デコード部２４、通信プロトコルデータベース２５、表示部２６、及びログ表示制御部２７を有する。
【００２５】
ログ記憶部２１は、ログ収集装置１０から取得した通信ログを格納する機能部である。例えば、ログ収集装置１０とログ表示装置２０とを通信ネットワークを介して接続し、ログ表示装置２０は、ログ収集装置１０の出力部１５から出力された通信ログを当該通信ネットワークを介して受信して、ログ記憶部２１に格納する。また、ログ収集装置１０から可搬メモリ等に通信ログを記憶させ、当該可搬メモリから通信ログをログ表示装置２０に移し、ログ記憶部２１に格納するようにしてもよい。
【００２６】
ログ読み込み部２２は、ログ記憶部２１から通信ログを読み込み、各通信ログを信号単位でレイヤ判定部２３に渡す機能部である。レイヤ判定部２３は、ログ読み込み部２２から渡された通信ログが、レイヤ３信号の通信ログかどうかを判定する機能部である。デコード部２４は、通信プロトコルデータベース２５を参照して、エンコードされている通信ログをデコードし、デコードした通信ログを表示部２６に渡す機能部である。表示部２６は、デコードされた通信ログを時系列で（タイムスタンプの時間順で）表示する機能部である。また、通信プロトコルデータベース２５は、移動端末（ＵＥ）−ネットワーク間での信号のエンコード/デコードルールを保持するデータベースである。ログ表示制御部２７は、ログ表示装置２０の処理を制御する機能部であり、後述するフローチャートに示す処理手順は、ログ表示制御部２７による制御に基づき実行される。なお、ログ表示制御部２７、ログ読み込み部２２、デコード部２４、表示部２６とをあわせて表示制御手段と呼んでもよい。
【００２７】
図４に示したログ収集装置１０とログ表示装置２０のそれぞれは、コンピュータに、本実施の形態で説明する処理内容を記述したプログラムを実行させることにより実現可能である。すなわち、ログ収集装置１０とログ表示装置２０のそれぞれにおいて、各部が有する機能は、当該装置を構成するコンピュータに内蔵されるＣＰＵやメモリなどのハードウェア資源を用いて、各部で実施される処理に対応するプログラムを実行することによって実現することが可能である。また、当該プログラムは、当該プログラムを記録したＦＤ、ＣＤ−ＲＯＭ、ＤＶＤなどの記録媒体や、インターネットなどのネットワークを介して市場に流通させることができる。また、ログ収集装置１０とログ表示装置２０とを一体化し、１つの装置（コンピュータ）で実現することも可能である。
【００２８】
（装置の動作）
以下、本実施の形態における各装置の動作例について詳細に説明する。
【００２９】
＜ログ収集装置の動作＞
最初に、ログ収集装置１０の動作例を、図５のフローチャートを参照して説明する。ログ取得処理が開始されると、ステップ１において、信号受信部１１が、１つの信号を通信装置から受信し、当該信号をレイヤ判定部１２に渡す。
【００３０】
ステップ２において、レイヤ判定部１２は、受信した信号がレイヤ３か否かを判定する。この判定は、信号のプロトコルを判定することにより行うことができる。そして、ステップ２でレイヤ３であると判定された場合、ステップ３において、ログ格納処理部１３は、当該信号にレイヤ３フラグを付加し、レイヤ3フラグ付きの信号を１つの通信ログとしてログ記憶部１４に格納する。例えば、ログ記憶部１４に既にn個（n≧0)のログが格納されている場合、当該信号はn+1番目の通信ログとして格納される。
【００３１】
なお、信号が通信ログとして格納される際にはログ取得時刻を示すタイムスタンプが付加される。このタイムスタンプは、信号をログ収集装置１０に渡す通信装置側で付加してもよいし、ログ収集装置１０側で付加してもよい。
【００３２】
ステップ２で、信号がレイヤ３の信号でないと判定された場合、ステップ４に進み、ログ格納処理部１３は、当該信号にレイヤ３フラグを付加することなく、そのまま１つの通信ログとしてログ記憶部１４に格納する。例えば、ログ記憶部１４に既にn個の通信ログが格納されている場合、当該ログはn+1番目の通信ログとして格納される。
【００３３】
そして、ログ取得処理を終了するまで、上記の処理が繰り返し行われる。
【００３４】
図６に、上記の処理によりログ記憶部１４に格納される通信ログの一例を示す。図６に示すように、レイヤ３の通信ログに対して、レイヤ３であることを示すフラグ"★"が付されている。なお、図６には、レイヤ１、レイヤ２等の各レイヤの名前が示されているが、これは格納されている通信ログの種類を分かりやすく示すためのものであり、実際の通信ログには、"レイヤ１"等の名前は付されない。他の通信ログを示す図においても同様である。もちろん、実際に"レイヤ１"等の名前を付してもよい。
【００３５】
＜ログ表示装置の動作＞
次に、本実施の形態におけるログ表示装置２０の動作例を、図７のフローチャートを参照して説明する。以下の処理の前提として、ログ記憶部２１には、上記のようにしてログ収集装置１０により取得された通信ログが格納されているものとする。
【００３６】
まず、ステップ１１において、ログ読み込み部２２は、ログ記憶部２１から１つのログを読み込み、レイヤ判定部２３に渡す。なお、ログ読み込み部２２は、ログ記憶部２１から、ログが格納された順番（本例ではログ取得の時間順＝タイムスタンプの時間順）で通信ログを読み込む。例えば、処理の開始時であれば先頭の通信ログを読み込み、n-1番目の通信ログの処理の次の処理であれば、n番目のログを読み込むことになる。
【００３７】
ステップ１２において、レイヤ判定部２３は、ログ読み込み部２２から渡された１つの通信ログにレイヤ３フラグが付されているか否かを判断することにより、当該通信ログがレイヤ３信号の通信ログか否かを判定する。
【００３８】
ステップ１２での判定結果がYesであった場合、ステップ１３に進み、当該通信ログはデコード部２３に送られ、デコード部２３が、通信プロトコルデータベース２５を参照することにより、当該通信ログをデコードし、デコードした通信ログを表示部２６に送る。
【００３９】
デコード部２４からデコード済みの通信ログを受け取った表示部２６は、ステップ１４において、通信ログを時系列順に表示し、ステップ１５に進む。
【００４０】
ステップ１２における判定結果がNo（レイヤ３信号でない）の場合は、デコード／表示を行わずに、ステップ１５に進む。
【００４１】
ステップ１５では、ログ表示制御部２７により、現在の処理対象の通信ログがログ記憶部２１に格納された通信ログのうちの最後の通信ログかどうかが判定され、最後でなければ、次の通信ログに対してステップ１１からの処理を繰り返す。ステップ１５で、最後の通信ログであると判定された場合、ステップ１６に進む。このような処理手順の制御は、ログ表示制御部２７が行っている。
【００４２】
ステップ１６からの処理でも、順に１つずつ通信ログが読み込まれて処理が行われる。まず、ステップ１６において、ログ読み込み部２２は、ログ記憶部２１から１つの通信ログを読み込み、レイヤ判定部２３に渡す。ステップ１７において、レイヤ判定部２３は、ログ読み込み部２２から渡された通信ログにレイヤ３フラグが付されていないか否かを判断することにより、当該通信ログがレイヤ３信号以外の通信ログか否かを判定する。
【００４３】
ステップ１７での判定結果がYesであった場合（通信ログがレイヤ３信号以外であった場合）、ステップ１８に進み、通信ログはデコード部２４に送られ、デコード部２４が、通信プロトコルデータベース２５を参照することにより、当該通信ログをデコードし、デコードした通信ログを表示部２６に送る。
【００４４】
ステップ１９において、デコード部２４からデコード済みの通信ログを受け取った表示部２６は、通信ログを時系列順に表示する。例えば、ここでの処理対象であるレイヤ３以外の通信ログのタイムスタンプが、既に表示されているあるレイヤ３信号よりも前の時刻を表している場合、当該レイヤ３以外の通信ログは、当該レイヤ３信号よりも上側に表示される（時間が古いほど上に表示する場合）。その後、ステップ２０に進む。
【００４５】
ステップ１７における判定結果がNo（レイヤ３信号である）場合は、デコード／表示を行わずに、ステップ２０に進む。
【００４６】
ステップ２０では、現在の処理対象の通信ログが、ログ記憶部２１に格納された通信ログのうちの最後の通信ログかどうかが判定され、最後でなければ、次の通信ログに対してステップ１６からの処理を繰り返す。ステップ２０で、最後の通信ログであると判定された場合、処理を終了する。
【００４７】
図８に、上記のログ表示装置２０の処理により表示部２６の画面に表示される通信ログのイメージを示す。
【００４８】
図８に示すように、ログ記憶部２１に格納された通信ログのうち、レイヤ３フラグで識別されるレイヤ３信号の通信ログが他のレイヤの通信ログよりも先に表示される（図７のステップ１１〜ステップ１５の処理に対応）。その後、レイヤ３信号以外のレイヤ１、２の通信ログが順次表示される（図７のステップ１６〜２０に対応）。
【００４９】
このように、レイヤ3信号の通信ログを他のレイヤの信号より先に表示することとしているので、全体の通信ログの表示を待つことなく、迅速に通信の概要の把握、及びOK/NGの判定を行うことができる。例えば、レイヤ3信号の通信ログが表示された時点でOKであることを確認できれば、他のレイヤの通信ログの表示を待つことなく、解析結果がOKである旨の判断をすることができる。すなわち、解析時間を短縮させることが可能となる。
【００５０】
なお、本実施の形態では、優先的に表示する通信ログをレイヤ３信号の通信ログとしているが、解析の目的によっては、優先的に表示する通信ログをレイヤ３信号以外としてもよい。後述する変形例でも同様である。
【００５１】
＜変形例＞
次に、変形例を説明する。変形例では、各装置の構成は図４に示した構成と同様でよいが、各装置の処理動作が異なる。また、変形例では、ログ表示装置２０において、レイヤ判定部２３を備えなくてもよい。
【００５２】
まず、変形例に係るログ収集装置１０の動作を図９のフローチャートを参照して説明する。
【００５３】
ログ取得処理が開始されると、ステップ３１において、信号受信部１１が、１つの信号を通信装置から受信し、当該信号をレイヤ判定部１２に渡す。
【００５４】
ステップ３２において、レイヤ判定部１２は、受信した信号がレイヤ３か否かを判定する。ステップ３２でレイヤ３であると判定された場合、ステップ３３において、ログ格納処理部１３は、現在の処理対象の信号を、ログ記憶部１４において既に格納されている、1つ前のレイヤ３信号の通信ログの直後に挿入して格納する。もし、現在の処理対象の信号が最初のレイヤ３信号である場合には、先頭に格納する。例えば、現在の処理対象の信号が、処理を開始してから６番目の信号であるとして、それまでに処理した５個の信号のうち、２個がレイヤ３の信号であった場合に、現在の６番目の信号がレイヤ３であれば、当該信号の通信ログは、３番目の通信ログとして、２番目に格納されているレイヤ３の通信ログの直後に格納されることになる。
【００５５】
ステップ３２で、レイヤ３でないと判定された場合、ステップ３４に進み、ログ格納処理部１３は、当該信号を１つの通信ログとして、ログ記憶部１４における、これまでに格納されている通信ログの次の場所（最後に追加）に格納する。そして、ログ取得処理を終了するまで、上記の処理が繰り返し行われる。
【００５６】
図１０に、上記の処理によりログ記憶部１４に格納される通信ログの一例を示す。図１０に示すように、通信信号が並び替えられ、レイヤ３信号の通信ログが先頭部分に格納される。
【００５７】
上記のようにして取得された通信ログに対するログ表示装置２０の動作を図１１を参照して説明する。なお、図１１に示す処理は、単純に通信ログを先頭から読み出し、時系列順に表示するものである。また、本変形例では、レイヤ判定部２３は不要である。
【００５８】
ステップ４１からの処理では、順に１つずつ通信ログが読み込まれて処理が行われる。まず、ステップ４１において、ログ読み込み部２２は、ログ記憶部２１から１つのログを読み込み、デコード部２４に渡す。ステップ４２において、デコード部２４は、通信プロトコルデータベース２５を参照することにより、当該通信ログをデコードし、デコードした通信ログを表示部２６に送る。
【００５９】
デコード部２４からデコード済みのログを受け取った表示部２６は、ステップ４３において、通信ログを時系列順に表示し、ステップ４４に進む。ステップ４４では、現在の処理対象の通信ログが、ログ記憶部２１に格納された通信ログのうちの最後の通信ログかどうかが判定され、最後でなければ、次の通信ログに対してステップ４１からの処理を繰り返す。ステップ４４で、最後の通信ログであると判定された場合、処理を終了する。  
このような処理により、図１２に示すように、レイヤ３信号の通信ログの表示が最初に行われ、全てのレイヤ３信号の表示が終了した後に、その他のレイヤの信号の通信ログの表示が行われる。
【００６０】
本変形例でも、レイヤ３信号の通信ログを優先して解析することができるので、解析時間を短縮させることが可能となる。
【００６１】
（実施の形態の効果）
これまでに説明したように、本実施の形態に係る技術によれば、ログ収集装置１０にて通信ログを保存する際に各信号が特定のレイヤの信号（本例ではレイヤ３）かどうかを容易に判定できる状態にして保存し、ログ表示装置２０にて通信ログを読み込み、表示する際に各信号が特定のレイヤの信号かどうかを判断し、特定のレイヤの信号の場合は優先してデコードと表示を行うことで、特定のレイヤの信号を優先的に表示する。従って、全てのレイヤの信号の表示を待つ必要がなくなり、解析時間を短縮させることが可能となる。
【００６２】
すなわち、図１３に示すように、従来では、通信ログの表示のための読み込み及びデコード処理が終了し、特定のレイヤの信号の出現が終了したことを確認した後でなければ概要把握やＯＫ／ＮＧの判定ができなかったところ、本発明の実施の形態の技術によれば、特定のレイヤの信号を先に表示し、当該特定のレイヤの信号が全て表示された時点で概要把握やＯＫ／ＮＧの判定が可能となるので、解析時間が短縮でき、効率的に解析を行うことが可能となる。
【００６３】
本発明は、上記の実施の形態に限定されることなく、特許請求の範囲内において、種々変更・応用が可能である。
【符号の説明】
【００６４】
１  移動端末
２  ログ収集装置
３  ネットワーク
４  ログ表示装置
１０  ログ収集装置
１１  信号受信部
１２  レイヤ判定部
１３  ログ格納処理部
１４  ログ記憶部
１５  出力部
１６  ログ収集制御部
２０  ログ表示装置
２１  ログ記憶部
２２  ログ読み込み部
２３  レイヤ判定部
２４  デコード部
２５  通信プロトコルデータベース
２６  表示部
２７  ログ表示制御部
【図１】
2012048684.tif 000003
【図２】
2012048684.tif 000004
【図３】
2012048684.tif 000005
【図４】
2012048684.tif 000006
【図５】
2012048684.tif 000007
【図６】
2012048684.tif 000008
【図７】
2012048684.tif 000009
【図８】
2012048684.tif 000010
【図９】
2012048684.tif 000011
【図１０】
2012048684.tif 000012
【図１１】
2012048684.tif 000013
【図１２】
2012048684.tif 000014
【図１３】
2012048684.tif 000015